(57)【要約】【課題】洗浄成分をより高濃度化することができるため搬送性等に優れ、使用時には、所望の濃度の希釈液体洗剤を容易に得ることができる濃縮液体洗剤を提供すること。【解決手段】水で希釈して使用する濃縮液体洗剤であって、１５℃において、分離した外観を示す相である第一の相と第二の相とを有し、水で所定の倍率に希釈すると、上記第一の相と上記第二の相とは相溶性を示して、均一に分散された一相の液体となることを特徴とする濃縮液体洗剤。【選択図】図１
2014108971.tif 000002
【特許請求の範囲】
【請求項１】
水で希釈して使用する濃縮液体洗剤であって、
１５℃において、分離した外観を示す相である第一の相と第二の相とを有し、
水で所定の倍率に希釈すると、前記第一の相と前記第二の相とは相溶性を示して、均一に分散された一相の液体となることを特徴とする濃縮液体洗剤。
【請求項２】
４０重量％以上の界面活性剤、
０〜５重量％の安定化剤、及び、
０〜６０重量％の水を含み、
食器用液体洗剤として用いられる、請求項１に記載の濃縮液体洗剤。
【請求項３】
水で２〜１０倍に希釈することにより、前記第一の相と前記第二の相とは相溶性を示して、均一に分散された一相の液体となる請求項２に記載の濃縮液体洗剤。
【請求項４】
１０重量％以上の溶剤、
５重量％以上のキレート剤、
界面活性剤、及び、
０〜７０重量％の水を含み、
浴室用洗剤として用いられる、請求項１に記載の濃縮液体洗剤。
【請求項５】
水で２〜１０倍に希釈することにより、前記第一の相と前記第二の相とは相溶性を示して、均一に分散された一相の液体となる請求項４に記載の濃縮液体洗剤。
【請求項６】
２０重量％以上のアルカリ剤、
５重量％以上の溶剤、
界面活性剤、及び、
０〜７０重量％の水を含み、
アルカリ洗浄剤として用いられる、請求項１に記載の濃縮液体洗剤。
【請求項７】
さらにキレート剤を含む請求項６に記載の濃縮液体洗剤。
【請求項８】
水で２〜１０倍に希釈することにより、前記第一の相と前記第二の相とは相溶性を示して、均一に分散された一相の液体となる請求項６又は７に記載の濃縮液体洗剤。
【請求項９】
請求項１〜８のいずれかに記載の濃縮液体洗剤を用いた被洗浄物の洗浄方法であって、
前記第一の相と前記第二の相とが分離した外観を示す前記濃縮液体洗剤を水で所定の倍率に希釈することで、均一に分散された一相の希釈液体洗剤とし、該希釈液体洗剤を用いて被洗浄物の洗浄を行うことを特徴とする被洗浄物の洗浄方法。
【発明の詳細な説明】
【技術分野】
【０００１】
本発明は、濃縮液体洗剤及び被洗浄物の洗浄方法に関する。
【背景技術】
【０００２】
洗剤として、液体洗剤が知られている。液体洗剤の中には、高濃度に濃縮した状態のものを、使用時に、所望の濃度に希釈して使用するものがある（例えば、特許文献１参照）。以下、このような液体洗剤を濃縮液体洗剤と称す。
濃縮液体洗剤は、例えば、保持用容器内に保持されてエンドユーザへと搬送され、エンドユーザが、濃縮液体洗剤を希釈用容器に移しかえ、水等の溶媒を用いて所望の濃度に希釈することにより使用する。以下、所望の濃度に希釈した液体洗剤を希釈液体洗剤と称す。
濃縮液体洗剤は、あらかじめ所望の濃度に設定された液体洗剤に比べて、保存場所や輸送重量を低減でき、これにより輸送費等のコストの削減が図れることから、より高濃度化することが望まれている。
【先行技術文献】
【特許文献】
【０００３】
【特許文献１】特開２００８−７４９７５号公報
【発明の概要】
【発明が解決しようとする課題】
【０００４】
濃縮液体洗剤として実用化が期待される洗剤として、食器用液体洗剤、浴室用洗剤、アルカリ洗浄剤といった種類の洗剤がある。これらの洗剤は、界面活性剤、アルカリ剤、キレート剤、水等の成分の中から洗剤ごとの用途に応じた成分を含むように調製されてなる。
これらの種類の洗剤について水で希釈する濃縮液体洗剤を調製することを試みる場合、所定の倍率で希釈して使用する際に各成分の濃度が最適な濃度となるように各成分の濃度を希釈倍率に応じて高くすることが行われる。
しかしながら、各成分の濃度を高くした場合には洗剤中の成分が分離することがあった。
【０００５】
これまで、液体洗剤は均一な組成でなければならないと考えることが当業者にとっては常識であり、不均一な組成の液体洗剤を使用した場合は、期待された洗浄効果が得られないと考えられていた。そのため、洗剤中の成分が分離するような組成は液体洗剤としては望ましくなく、商品化できるものではないと考えられていた。
従って、洗剤中の成分が分離しやすい組成の洗剤については、成分が分離しない程度までの濃縮に止めるか、又は、実用化を断念するということが通常であった。
【０００６】
また、可溶化剤と呼ばれる添加剤を加えることによって洗剤中の成分が分離しないようにした組成とするという手法も知られていた。
可溶化剤は、洗剤中の成分が分離しないようにするために加えられる成分であり、洗浄力の点では効果の少ない成分が多い。従って、洗浄力の観点からは加えないほうが望ましい。
そして、可溶化剤の割合が高くなると洗浄力の点で有効な成分の割合を高くすることができないので、液体洗剤の高濃度化ができないという問題があった。
【０００７】
本発明は、上記のような課題を解決するためになされたものであり、洗浄成分をより高濃度化することができるため搬送性等に優れ、使用時には、所望の濃度の希釈液体洗剤を容易に得ることができる濃縮液体洗剤を提供することを目的とする。
また、洗浄成分がより高濃度化された濃縮液体洗剤を用いて被洗浄物を洗浄する方法を提供することを目的とする。
【課題を解決するための手段】
【０００８】
本発明者らは、水で希釈して使用する濃縮液体洗剤について検討したところ、洗剤中の成分が分離するような組成の濃縮液体洗剤の中には、水で所定の倍率に希釈することによって均一に分散された一相の液体となるという性質を有するものがあることを見出した。
このような性質を有する濃縮液体洗剤は、洗浄に用いられる前に希釈されて希釈液体洗剤となる。そして、希釈液体洗剤においては成分が均一に分散されているため、所望の洗浄力が得られる。
すなわち、本発明者らは、このような性質を有する濃縮液体洗剤が、洗剤中の成分が分離しているという、濃縮液体洗剤として望ましくないと考えられていた性質を有するにもかかわらず、希釈して使用することによって所望の洗浄力を発揮することができることを見出し、本発明に想到した。
また、本発明者らは、食器用液体洗剤、浴室用洗剤、アルカリ洗浄剤としてそれぞれ好適に用いることができ、上記性質を有する濃縮液体洗剤の組成を見出した。
【０００９】
即ち、本発明の濃縮液体洗剤は、水で希釈して使用する濃縮液体洗剤であって、
１５℃において、分離した外観を示す相である第一の相と第二の相とを有し、
水で所定の倍率に希釈すると、上記第一の相と上記第二の相とは相溶性を示して、均一に分散された一相の液体となることを特徴とする。
【００１０】
本発明の濃縮液体洗剤は、使用時に所望の濃度に希釈して使用するものであるため、保存時（貯蔵時）の容積を小さくすることができ、搬送性に優れている。また、保管スペースの縮小にも寄与する。
また、濃縮液体洗剤の状態では、成分は分離していてもよいため、可溶化剤の量を低減することができ、洗浄成分の高濃度化を図ることができる。
なお、上記所定の倍率とは、分離した外観を示す上記第一の相と上記第二の相とが相溶性を示して、均一に分散された一相の液体の希釈液体洗剤となるような希釈倍率であれば特に限定されるものではない。希釈倍率は、濃縮液体洗剤の組成及び希釈液体洗剤の使用時に望まれる洗浄成分の濃度等に応じて定まる。
【００１１】
また、第一の相と第二の相とが分離した外観を示すとは、目視において少なくとも２つの層が観察される状態であればよい。
分離した外観の一例として、第一の相と第二の相とが完全に分離している場合に限られず、第一の相に含まれる成分の一部と第二の相に含まれる成分の一部が互いに混ざり合っている場合も含む。また、第一の相と第二の相の境界が明確な線（面）となっておらず、第一の相と第二の相の間にもやもやとした層があるような場合であってもよい。
濃縮液体洗剤が分離した外観を示すかは、温度に依存する場合もあるため、濃縮液体洗剤を振り混ぜて、１５℃で２４時間静置したのちに目視観察して、第一の相と第二の相とが分離した外観を示すかどうかによって判断する。
【００１２】
濃縮液体洗剤を希釈した後に、分離した外観を示す少なくとも２つの層が観察されなくなった場合、「均一に分散された一相の液体」となっていると判断する。
この判断においては、希釈後に一相の液体となっていればよく、液が透明であってもよく、均一に濁った液体となっていてもよい。
「均一に分散された一相の液体」となっているかは、希釈液体洗剤を振り混ぜて、１５℃で２４時間静置したのちに目視観察して、分離した外観が示されないかどうかによって判断する。
【００１３】
また、本発明の濃縮液体洗剤には、第一の相、第二の相に加えてさらに分離した外観を示す別の相（第三の相、第四の相等）が含まれていてもよい。
濃縮液体洗剤が三つ以上の相を含む場合であっても、水で希釈した後に分離した外観を示す層が観察されなくなった場合に、均一に分散された一相の液体となっていると判断される。
【００１４】
本発明の濃縮液体洗剤は、
４０重量％以上の界面活性剤、
０〜５重量％の安定化剤、及び、
０〜６０重量％の水を含み、
食器用液体洗剤として用いられることが望ましい。
【００１５】
また、食器用液体洗剤として用いられる上記濃縮液体洗剤は、水で２〜１０倍に希釈することにより、上記第一の相と上記第二の相とは相溶性を示して、均一に分散された一相の液体となることが望ましい。
【００１６】
本発明の濃縮液体洗剤は、
１０重量％以上の溶剤、
５重量％以上のキレート剤、
界面活性剤、及び、
０〜７０重量％の水を含み、
浴室用洗剤として用いられることが望ましい。
【００１７】
また、浴室用洗剤として用いられる上記濃縮液体洗剤は、水で２〜１０倍に希釈することにより、上記第一の相と上記第二の相とは相溶性を示して、均一に分散された一相の液体となることが望ましい。
【００１８】
本発明の濃縮液体洗剤は、
２０重量％以上のアルカリ剤、
５重量％以上の溶剤、
界面活性剤、及び、
０〜７０重量％の水を含み、
アルカリ洗浄剤として用いられることが望ましい。
【００１９】
また、アルカリ洗浄剤として用いられる上記濃縮液体洗剤は、さらにキレート剤を含むことが望ましい。
【００２０】
また、アルカリ洗浄剤として用いられる上記濃縮液体洗剤は、水で２〜１０倍に希釈することにより、上記第一の相と上記第二の相とは相溶性を示して、均一に分散された一相の液体となることが望ましい。
【００２１】
本発明の被洗浄物の洗浄方法は、
本発明の濃縮液体洗剤を用いた被洗浄物の洗浄方法であって、
上記第一の相と上記第二の相とが分離した外観を示す上記濃縮液体洗剤を水で所定の倍率に希釈することで、均一に分散された一相の希釈液体洗剤とし、該希釈液体洗剤を用いて被洗浄物の洗浄を行うことを特徴とする。
【発明の効果】
【００２２】
本発明の濃縮液体洗剤は、使用時に所望の濃度に希釈して使用するものであるため、保存時（貯蔵時）の容積を小さくすることができ、搬送性に優れている。また、保管スペースの縮小にも寄与する。
また、濃縮液体洗剤の状態では、成分は分離していてもよいため、可溶化剤の量を低減することができ、洗浄成分の高濃度化を図ることができる。
本発明の被洗浄物の洗浄方法では、洗浄成分が高い濃度で含まれた濃縮液体洗剤を水で希釈することによって、洗浄成分が均一に分散された一相からなる希釈液体洗剤を得ることができる。該希釈液体洗剤には被洗浄物の洗浄に適した濃度の洗浄成分が含まれているため、被洗浄物の洗浄を好適に行うことができる。
【図面の簡単な説明】
【００２３】
【図１】本発明の濃縮液体洗剤を保存用容器に保持した状態を模式的に示す平面図である。
【図２】本発明の濃縮液体洗剤の使用方法の一例を模式的に示す斜視図である。
【図３】本発明の濃縮液体洗剤の使用方法の一例を模式的に示す斜視図である。
【発明を実施するための形態】
【００２４】
以下、本発明の濃縮液体洗剤、及び、被洗浄物の洗浄方法について図面を用いて説明する。
【００２５】
本発明の濃縮液体洗剤は、水で希釈して使用する濃縮液体洗剤であって、
１５℃において、分離した外観を示す相である第一の相と第二の相とを有し、
水で所定の倍率に希釈すると、上記第一の相と上記第二の相とは相溶性を示して、均一に分散された一相の液体となることを特徴とする。
【００２６】
本発明の濃縮液体洗剤は、水で希釈して使用するものである。例えば、保存用容器に保持された濃縮液体洗剤を他の容器に移し、水で希釈する。
水で希釈することによって、均一に分散された一相の液体の希釈液体洗剤が得られる。
図１は、本発明の濃縮液体洗剤を保存用容器に保持した状態を模式的に示す平面図である。
図１において、濃縮液体洗剤１００は、保存用容器に保持されている。ここでは、保存用容器として、プラスチックフィルム製の袋であるパウチ１１０を用いている。パウチ１１０は、製品包装の簡易化・軽量化が図れるものであり、廃棄物を低減することもできることから、濃縮液体洗剤１００の保存用容器として好適である。パウチ１１０には、開封する際に引き裂く起点となるノッチ１１１が設けられている。
パウチ１１０に保持された濃縮液体洗剤１００は、第一の相１０１と第二の相１０２との二相に分離している。第一の相１０１と第二の相１０２とは、１５℃において分離した外観を示す相であり、例えば、パウチ１１０を振る等して、第一の相１０１と第二の相１０２とが一時的に混ざりあったような状態になっても、時間の経過とともに第一の相１０１と第二の相１０２とは分離した外観を示すようになる。
【００２７】
本発明の濃縮液体洗剤において水で希釈する倍率（所定の倍率）は、分離した外観を示す第一の相１０１と第二の相１０２とが相溶性を示して、均一に分散された一相の液体となるような倍率であれば特に限定されるものではなく、濃縮液体洗剤１００の組成及び希釈液体洗剤の使用時に望まれる洗浄成分の濃度等に応じて定まる。
【００２８】
本発明の濃縮液体洗剤は、どのような容器に保持されていても良いが、プラスチックフィルム製のパウチ袋に保持されてなることが望ましい。
既に説明した通り、濃縮液体洗剤はパウチ袋内で二相に分離した外観を示している。
パウチ袋内で洗剤が二相に分離していても、パウチ袋入り濃縮液体洗剤を使用する際に、希釈用容器に濃縮液体洗剤を全量投入して希釈することによって、均一な組成の希釈液体洗剤を得ることができる。
【００２９】
以下、本発明の濃縮液体洗剤の好ましい例である、食器用液体洗剤として用いられる濃縮液体洗剤、浴室用洗剤として用いられる濃縮液体洗剤、アルカリ洗浄剤として用いられる濃縮液体洗剤の特徴及び組成を説明する。
【００３０】
（食器用液体洗剤用濃縮液体洗剤）
食器用液体洗剤として用いられる本発明の濃縮液体洗剤は、
４０重量％以上の界面活性剤、
０〜５重量％の安定化剤、及び、
０〜６０重量％の水を含むことが望ましい。
【００３１】
界面活性剤としては、特に限定されるものではないが、界面活性剤としては、ポリオキシエチレンアルキルエーテルカルボン酸及び／又はその塩、アルキルヒドロキシエーテルカルボン酸及び／又はその塩、アルキルベンゼンスルホン酸及び／又はその塩（分岐アルキルベンゼンスルホン酸及び／又はその塩、直鎖アルキルベンゼンスルホン酸及び／又はその塩（ＬＡＳ））、アルカンスルホン酸及び／又はその塩、α-オレフィンスルホン酸及び／又はその塩、芳香族スルホン酸及び/その塩、ジアルキルスルホこはく酸エステル及び／又はその塩、高級アルコール硫酸エステル及び／又はその塩、高級アルコールエチレンオキシド付加物硫酸エステル及び／又はその塩、脂肪酸塩などの陰イオン界面活性剤が挙げられる。
具体的には、ドデシルベンゼンスルホン酸ナトリウム、ポリオキシエチレンアルキルエーテル硫酸エステルナトリウム（アルキル鎖長Ｃ１０−１６）キシレンスルホン酸ナトリウム、オクチル酸塩、ヤシ油脂肪酸塩等が挙げられる。
また、アルキルアミン及び／又はその塩、第四級アンモニウム塩などの陽イオン界面活性剤が挙げられる。
また、ポリオキシエチレンアルキルエーテル、ポリオキシエチレンポリオキシプロピレンアルキルエーテル、ポリオキシアルキレンアルキルエーテル、ポリオキシエチレン脂肪酸エステル、ポリオキシエチレンアルキルフェニルエーテル、ポリオキシエチレンポリオキシプロピレングリコール、アルキルアミンオキシド、アルキルジメチルアミンオキシド、ショ糖脂肪酸エステル、アルキルポリグルコシド、アルキルアルカノールアミド、モノグリセリン脂肪酸エステル、ポリグリセリン脂肪酸エステル、ソルビタン脂肪酸エステル、ソルビタン脂肪酸エステルのエチレンオキシド付加物、ソルビタン脂肪酸エステルのアルキレンオキシド付加物などの非イオン界面活性剤が挙げられる。
具体的には、ポリオキシエチレントリデシルエーテル、ポリオキシエチレン分岐デシルエーテル、ポリオキシエチレンラウリルエーテル、ラウリルジメチルアミンオキシド等が挙げられる。
さらに、アミノ酸型両性界面活性剤、ベタイン型界面活性剤などの両性界面活性剤が挙げられる。
具体的には、ヤシ油脂肪酸アミドプロピルベタイン、ヤシ油脂肪酸ジメチルベタイン等が挙げられる。
これらの界面活性剤は、これらから選択される１種又は２種以上を混合して使用することができる。
界面活性剤の配合量は、４０重量％以上であるが、４５重量％以上であることが望ましく、５０重量％以上であることがさらに望ましい。
また、界面活性剤の配合量が９９重量％以下であることが望ましい。
【００３２】
安定化剤としてはアルコール類が望ましい。
アルコール類としては、メタノール、エタノール、１−プロパノール、２−プロパノール、１−ブタノール、２−ブタノール、２−メトキシエタノール、２−エトキシエタノール、エチレングリコール、プロピレングリコール、ジプロピレングリコール、１，４−ブタンジオール、１，６−ヘキサンジオール、グリセリン等が挙げられる。
安定化剤は配合されていなくてもよく、その配合量は０〜５重量％である。
本発明の濃縮液体洗剤では第一の相と第二の相が分離していてもよいため安定化剤の量は少ないほうが望ましく、配合量が０〜４重量％であることがより望ましい。
【００３３】
食器用液体洗剤として用いられる本発明の濃縮液体洗剤には、水が０〜６０重量％含まれる。
水の量は希釈倍率等を勘案して設定することができ、希釈倍率が高い濃縮液体洗剤では水の量を少なくする必要がある。
アルカリ剤が濃縮液体洗剤に溶解する程度の水が含まれていることが望ましい。
水の配合量は０〜５５重量％であることが望ましく、０〜５０重量％であることがより望ましい。
【００３４】
食器用液体洗剤として用いられる本発明の濃縮液体洗剤には、さらにキレート剤が含まれていてもよい。
キレート剤としては、特に限定されるものではないが、アミノカルボン酸系、ヒドロキシカルボン酸系、リン酸系、ポリアクリル酸、アクリル酸・マレイン酸共重合体類、エーテルカルボン酸塩、及び、低分子量の有機酸塩等のものから選択される１又は２以上のものを使用することができる。
アミノカルボン酸系としては、ジエチレントリアミン五酢酸（ＤＴＰＡ）、エチレンジアミン四酢酸（ＥＤＴＡ）、ニトリロ三酢酸（ＮＴＡ）、ヒドロキシエチルエチレンジアミン三酢酸（ＨＥＤＴＡ）、トリエチレンテトラミン六酢酸（ＴＴＨＡ）、ジカルボキシメチルグルタミックアシッド（ＧＬＤＡ）、ヒドロキシエチルイミノ二酢酸（ＨＩＤＡ）、ジヒドロキシエチルグリシン（ＤＨＥＧ）、１，３−プロパンジアミン四酢酸（ＰＤＴＡ）、１，３−ジアミノ−２−ヒドロキシプロパン六酢酸（ＤＰＴＡ−ＯＨ）あるいはこれらの塩等が挙げられる。
ヒドロキシカルボン酸系としては、リンゴ酸、コハク酸、クエン酸、乳酸、酒石酸あるいはこれらの塩（例えば、ナトリウム塩、カリウム塩等）が挙げられる。
リン酸系としては、ヒドリキシエチリデンジホスホン酸（ＨＥＤＰ）、ニトリロトリメチレンホスホン酸（ＮＴＭＰ）、ホスホノブタントリカルボン酸（ＰＢＴＣ）、ヘキサメタリン酸あるいはこれらの塩等が挙げられる。
低分子量の有機酸塩とは、分子量が１０００以下のものをいう。このような分子量を有する有機酸塩としては、リンゴ酸、コハク酸、クエン酸、乳酸、酒石酸あるいはこれらの塩（例えば、ナトリウム塩、カリウム塩等）が挙げられ、具体的には、クエン酸ナトリウム、クエン酸カルシウム等のクエン酸塩、リンゴ酸ナトリウム、リンゴ酸カルシウム等のリンゴ酸塩、グルコン酸ナトリウム、グルコン酸カルシウム等のグルコン酸塩等が挙げられる。
キレート剤が含まれる場合、配合量は０．１〜１．０重量％であることが望ましい。
【００３５】
界面活性剤として直鎖アルキルベンゼンスルホン酸等の酸を用いた場合、酸を中和するためのアルカリ剤を加えてもよい。
アルカリ剤としては、特に限定されるものではないが、アルカリ金属水酸化物、アルカリ土類金属水酸化物、エタノールアミン類、炭酸塩、ケイ酸塩、及び、リン酸塩からなる群から選ばれる少なくとも一種であることが望ましい。
アルカリ金属水酸化物、アルカリ土類金属水酸化物としては、水酸化ナトリウム、水酸化カリウム、水酸化マグネシウム等が挙げられる。
エタノールアミン類としては、モノエタノールアミン、ジメタノールアミン、トリメタノールアミンが挙げられる。
炭酸塩としては、炭酸ナトリウム、炭酸水素ナトリウム、炭酸カリウム、炭酸水素カリウム等が挙げられる。
ケイ酸塩としては、オルソケイ酸ナトリウム、メタケイ酸ナトリウム、オルソケイ酸カリウム、メタケイ酸カリウム等が挙げられる。
リン酸塩としては、リン酸ナトリウム、リン酸水素ナトリウム、リン酸カリウム、リン酸水素カリウム等が挙げられる。
アルカリ剤の配合量は、酸の中和に必要な量であればよく、特に限定されるものでないが、濃縮液体洗剤のｐＨが５．０〜８．０となるように加えることが望ましい。
【００３６】
食器用液体洗剤として用いられる本発明の濃縮液体洗剤には、上記成分の他に必要に応じて、泡調整剤、除菌剤、香料、色粉、防腐剤、中和剤、増粘剤、ｐＨ調整剤、殺菌剤等が含まれていてもよい。
【００３７】
食器用液体洗剤として用いられる本発明の濃縮液体洗剤は、水で２〜１０倍希釈することにより希釈液体洗剤を調製して使用することが望ましい。
食器用液体洗剤として用いられる希釈液体洗剤における各成分の好ましい濃度は、
界面活性剤８〜１５重量％、
安定化剤０〜１重量％、
水５０〜９０重量％、
であり、水で希釈することにより上記濃度になるように調製された濃縮液体洗剤は本発明の濃縮液体洗剤として好ましい組成である。
【００３８】
（浴室用洗剤用濃縮液体洗剤）
浴室用洗剤として用いられる本発明の濃縮液体洗剤は、
１０重量％以上の溶剤、
５重量％以上のキレート剤、
界面活性剤、及び、
０〜７０重量％の水を含むことが望ましい。
【００３９】
溶剤としては、特に限定されるものではないが、脂肪族炭化水素類、芳香族炭化水素類、グリコールエーテル類、ハロゲン化炭化水素類、アルコール類、エーテル類、ケトン類、エステル類、動植物油等の有機溶剤等が挙げられる。
溶剤の具体例としては、ブチルアルコール（３異性体を含む）、３−メトキシ−３−メチル−ブチルアルコール、テルペンアルコール等のアルコール類、ジエチレングリコールモノブチルエーテル、モノアルキルプロピレングリコール等のグリコールエーテル類、ヘキサン、２−メチルペンタン、２，２−ジメチルブタン、２，３−ジメチルブタン、ヘプタン、オクタン、３−メトキシ−３−メチル−ブチルアセテート、２，２，３−トリメチルペンタン、イソオクタン、ノナン、２，２，５−トリメチルヘキサン、デカン、不飽和脂肪族炭化水素類、ベンゼン、トルエン、ｏ−キシレン、ｍ−キシレン、ｐ−キシレン、エチルベンゼン、クメン、メシチレン、テトラリン、ブチルベンゼン、ｐ−シメン、シクロヘキシルベンゼン、ジエチルベンゼン、ペンチルベンゼン、ジペンチルベンゼン、ドデシルベンゼン、スチレン、シクロペンタン、メチルシクロペンタン、シクロヘキサン、メチルシクロヘキサン、エチルシクロヘキサン、シクロヘキセン等、α−ピネン、デカリン、石油エーテル、石油ベンジン、石油ナフサ、リグロイン、工業ガソリン、灯油、ソルベントナフサ、ミネラルスピリット、ショウノウ油、テレピン油、テルペン類、コハク酸、グリタル酸、アジピン酸のジメチルエステル等の炭化水素類や脂肪酸エステル類、ジクロロメタン、クロロホルム、四塩化炭素、塩化エチル、１，１−ジクロロエタン、１，２−ジクロロエタン、１，１，１−トリクロロエタン、１，１，２−トリクロロエタン、１，１，２，２−テトラクロロエタン、１，１−ジクロロエチレン、１，２−ジクロロエチレン、トリクロロエチレン、テトラクロロエチレン、臭化メチル等のハロゲン化炭化水素類、等が挙げられる。
この中では、グリコールエーテル類又はアルコール類が好ましく、特に好ましいものとしてジエチレングリコールモノブチルエーテル、プロピレングリコールモノメチルエーテル、ジプロピレングリコールモノメチルエーテルが挙げられる。
これらの溶剤は、これらから選択される１種又は２種以上を混合して使用することができる。
溶剤の配合量は、１０重量％以上であるが、１０〜５０重量％であることが望ましく、２０〜４０重量％であることがさらに望ましい。
【００４０】
キレート剤としては、上記食器用液体洗剤用濃縮液体洗剤において用いられるキレート剤を使用することができる。
キレート剤の含有量は、５重量％以上であるが、５〜３０重量％であることが望ましく、１０〜２０重量％であることがさらに望ましい。
【００４１】
界面活性剤としては、上記食器用液体洗剤用濃縮液体洗剤において用いられる界面活性剤を使用することができる。
界面活性剤の含有量は特に限定されるものではないが、５〜４０重量％であることが望ましく、１０〜３０重量％であることがさらに望ましい。
【００４２】
浴室用洗剤として用いられる本発明の濃縮液体洗剤には、水が０〜７０重量％含まれる。
水の量は希釈倍率等を勘案して設定することができ、希釈倍率が高い濃縮液体洗剤では水の量を少なくする必要がある。
水の配合量は１０〜４０重量％であることが望ましい。
【００４３】
浴室用洗剤として用いられる本発明の濃縮液体洗剤においても、酸を中和するためのアルカリ剤が含まれていてもよい。
アルカリ剤が含まれる場合のアルカリ剤としては、上記食器用液体洗剤用濃縮液体洗剤において用いられるアルカリ剤を使用することができる。
アルカリ剤の配合量は、酸の中和に必要な量であればよく、特に限定されるものでないが、濃縮液体洗剤のｐＨが５．０〜８．０となるように加えることが望ましい。
【００４４】
浴室用洗剤として用いられる本発明の濃縮液体洗剤には、上記成分の他に必要に応じて、泡調整剤、除菌剤、香料、色粉、防腐剤、中和剤、増粘剤、ｐＨ調整剤、殺菌剤等が含まれていてもよい。
【００４５】
浴室用洗剤として用いられる本発明の濃縮液体洗剤は、水で２〜１０倍希釈することにより希釈液体洗剤を調製して使用することが望ましい。
浴室用洗剤として用いられる希釈液体洗剤における各成分の好ましい濃度は、
溶剤４〜８重量％、
キレート剤２〜４重量％、
界面活性剤２〜６重量％、
水４０〜９０重量％、
であり、水で希釈することにより上記濃度になるように調製された濃縮液体洗剤は本発明の濃縮液体洗剤として好ましい組成である。
【００４６】
また、浴室用洗剤として用いられる本発明の濃縮液体洗剤は、その組成と希釈倍率によっては、希釈後に一相の液体であっても透明ではなく、濁った液体となることがある。このような特性を示す濃縮液体洗剤であっても、希釈後に第一の相と第二の相とが分離した外観を示していない限りは、本発明の濃縮液体洗剤の範囲内である。
【００４７】
（アルカリ洗浄剤用濃縮液体洗剤）
アルカリ洗浄剤として用いられる本発明の濃縮液体洗剤は、
２０重量％以上のアルカリ剤、
５重量％以上の溶剤、
界面活性剤、及び、
０〜７０重量％の水を含むことが望ましい。
【００４８】
アルカリ剤としては、上記食器用液体洗剤用濃縮液体洗剤において用いられるアルカリ剤を使用することができる。
アルカリ剤の含有量は、２０重量％以上であるが、２０〜４０重量％であることが望ましく、２５〜３５重量％であることがさらに望ましい。
【００４９】
溶剤としては、上記浴室用洗剤用濃縮液体洗剤において用いられる溶剤を使用することができる。
溶剤の含有量は、５重量％以上であるが、５〜２０重量％であることが望ましく、５〜１５重量％であることがさらに望ましい。
【００５０】
界面活性剤としては、上記食器用液体洗剤用濃縮液体洗剤において用いられる界面活性剤を使用することができる。
界面活性剤の含有量は、特に限定されるものではないが、１〜４０重量％であることが望ましく、５〜３５重量％であることがさらに望ましい。
【００５１】
アルカリ洗浄剤として用いられる本発明の濃縮液体洗剤には、水が０〜７０重量％含まれる。
水の量は希釈倍率等を勘案して設定することができ、希釈倍率が高い濃縮液体洗剤では水の量を少なくする必要がある。
水の配合量は５〜５０重量％であることが望ましい。
【００５２】
アルカリ洗浄剤として用いられる本発明の濃縮液体洗剤には、さらにキレート剤が含まれていてもよい。
キレート剤が含まれる場合のキレート剤としては、上記食器用液体洗剤用濃縮液体洗剤において用いられるキレート剤を使用することができる。
キレート剤の含有量は特に限定されるものではないが、０．１〜５重量％であることが望ましく、０．５〜３重量％であることがさらに望ましい。
【００５３】
アルカリ洗浄剤として用いられる本発明の濃縮液体洗剤には、上記成分の他に必要に応じて、泡調整剤、除菌剤、香料、色粉、防腐剤、中和剤、増粘剤、ｐＨ調整剤、殺菌剤等が含まれていてもよい。
【００５４】
アルカリ洗浄剤として用いられる本発明の濃縮液体洗剤は、水で２〜１０倍希釈することにより希釈液体洗剤を調製して使用することが望ましい。
アルカリ洗浄剤として用いられる希釈液体洗剤における各成分の好ましい濃度は、
アルカリ剤５〜７重量％、
溶剤１〜３重量％、
界面活性剤１〜７重量％、
水５０〜９０重量％、
であり、水で希釈することにより上記濃度になるように調製された濃縮液体洗剤は本発明の濃縮液体洗剤として好ましい組成である。
また、アルカリ洗浄剤として用いられる希釈液体洗剤のｐＨは１０〜１４であることが望ましい。
【００５５】
（被洗浄物の洗浄方法）
次に、本発明の濃縮液体洗剤を用いた洗浄方法の一例について説明する。
以下に説明する洗浄方法は、食器用液体洗剤として用いられる濃縮液体洗剤、浴室用洗剤として用いられる濃縮液体洗剤、アルカリ洗浄剤として用いられる濃縮液体洗剤のいずれに対しても用いることができる。
【００５６】
本発明の濃縮液体洗剤を用いた被洗浄物の洗浄方法は、
上記第一の相と上記第二の相とが分離した外観を示す上記濃縮液体洗剤を水で所定の倍率に希釈することで、均一に分散された一相の希釈液体洗剤とし、該希釈液体洗剤を用いて被洗浄物の洗浄を行うことを特徴とする。
【００５７】
図２及び図３は、本発明の濃縮液体洗剤の使用方法の一例を模式的に示す斜視図である。
本発明の濃縮液体洗剤１００をパウチ１１０に入れて使用する場合は、図２に示すように、濃縮液体洗剤１００が入ったパウチ１１０を両手で持ち、ノッチ１１１を始点として、ノッチ１１１の延長線上に沿ってフィルムを引き裂いて、注ぎ口部１１２の先端をパウチ１１０から切り取り、適当な広さの注ぎ口部１１２を開口する。
フィルムを引き裂く前に、濃縮液体洗剤が全て下方に溜まった状態としておき、注ぎ口部１１２の先端に泡などが付着していないようにしておくことが望ましい。
【００５８】
そして、図３に示すように、開口したパウチ１１０の注ぎ口部１１２を希釈用容器１２０の投入口１２１に差し込む。
注ぎ口部１１２の先端を投入口１２１に差し込むようにすると、濃縮液体洗剤１００が全て自重によって希釈用容器１２０内に注入されるため、濃縮液体洗剤１００をスムーズに希釈用容器１２０内に注ぐことができる。
このような手順で希釈用容器１２０に濃縮液体洗剤１００を注ぐと、パウチ１１０に保持された濃縮液体洗剤１００が作業者の手に付着することを避けることができる。
【００５９】
次いで、濃縮液体洗剤１００を注いだ希釈用容器１２０に更に水を注いで濃縮液体洗剤１００を所定の倍率に希釈する。水を注いだ希釈用容器１２０を手で持ち、軽く振る等して容器内の液体を攪拌する。
所定の倍率とは、第一の相と第二の相とが均一に分散して一相からなる希釈液体洗剤が得られる程度の倍率であり、濃縮液体洗剤１００の組成及び希釈液体洗剤の使用時に望まれる洗浄成分の濃度等に応じて定まる。
なお、濃縮液体洗剤と水を入れる順序は逆でも良い。すなわち、あらかじめ必要量の水を入れた希釈用容器に濃縮液体洗剤を入れても良い。
【００６０】
そして、この希釈された希釈液体洗剤を用いて被洗浄物の洗浄を行う。
被洗浄物は、特に限定されるものではなく、希釈液体洗剤の組成に応じて定まる。
また、洗浄方法も特に限定されるものではなく、被洗浄物に応じて、手洗い、漬け置き洗い等の方法を定めればよい。
【００６１】
被洗浄物としては、例えば、食器や調理器具等の台所用具が挙げられる。台所用具の手洗い洗浄には、食器用液体洗剤が使用される。
【００６２】
他の被洗浄物としては、例えば、浴室や浴槽といった浴室用具が挙げられる。浴室用具の洗浄には、浴室用洗剤が使用される。
【００６３】
他の被洗浄物としては、例えば、油汚れが付着する厨房用具が挙げられる。厨房用具の洗浄にはアルカリ洗浄剤が使用される。
【実施例】
【００６４】
以下に本発明をより具体的に説明する実施例を示すが、本発明はこれらの実施例に限定されるものではない。
【００６５】
（食器用液体洗剤用濃縮液体洗剤）
（実施例１〜６）
表１に示す配合で、アルカリ剤、キレート剤、界面活性剤、安定化剤、水を混合して濃縮液体洗剤を調製した。
なお、表１〜３において、各成分の配合量は全て純分表示である。
そして、得られた濃縮液体洗剤１０００ｇを、透明なプラスチックフィルム製のパウチに入れて保存したところ、パウチ内の液体は、１５℃で二相に分離した外観を示していた。
【００６６】
（希釈及び洗浄）
パウチ内の濃縮液体洗剤（１０００ｇ）を希釈用容器に全て入れ、水４０００ｇを投入して攪拌し、希釈液体洗剤を得た。希釈倍率は、５倍であった。
希釈液体洗剤の状態を目視にて観察したところ、希釈液体洗剤は二相に分離しておらず、均一に分散した一相の液体となった。
以下の手順により洗浄力試験を実施した。
まず、洗浄対象の汚れとして、大豆白絞油：牛脂＝１：１で混合した汚れを準備し、上記汚れ４ｍｌを試験用皿に一面に塗り広げ、一晩室温で放置した。
上記希釈液体洗剤を１ｇ含む洗浄液３ｌを準備し、上記洗浄液を液温３０℃として、上記試験用皿を充分に温めた後、洗浄液を含んだスポンジで汚れを拭き取った。
そして、スポンジに付着した汚れを洗浄液中で揉み出した。
この操作を繰り返し、試験用皿に付着した汚れがスポンジで綺麗に拭き取れなくなるまでの皿の枚数を数えて、洗浄力を評価した。結果を表１に示した。
各実施例の洗浄力試験における皿洗い枚数は４枚〜６枚であった。この結果は、従来知られていたような、可溶化剤を加えて液体洗剤を均一にしていた組成の食器用液体洗剤を用いた場合の結果に比べ、同等又はそれ以上の良好な結果であるといえる。
【００６７】
【表１】
2014108971.tif 000003
【００６８】
（浴室用洗剤用濃縮液体洗剤）
（実施例７〜１０）
表２に示す配合で、アルカリ剤、溶剤、キレート剤、界面活性剤、水を混合して濃縮液体洗剤を調製した。
そして、得られた濃縮液体洗剤１０００ｇを、透明なプラスチックフィルム製のパウチに入れて保存したところ、パウチ内の液体は、１５℃で二相に分離した外観を示していた。
【００６９】
（希釈及び洗浄）
パウチ内の濃縮液体洗剤（１０００ｇ）を希釈用容器に全て入れ、水４０００ｇを投入して攪拌し、希釈液体洗剤を得た。希釈倍率は、５倍であった。
希釈液体洗剤の状態を目視にて観察したところ、希釈液体洗剤は二相に分離しておらず、均一に分散した一相の液体となった。
以下の手順により洗浄力試験を実施した。結果を表２に示した。
まず、洗浄対象の汚れとして、家庭で３カ月間使用して湯垢汚れが付着したポリプロピレン製の風呂桶を準備した。上記風呂桶に実験用ウエスを敷き、希釈液体洗剤０．３ｍｌを垂らして含浸させ、一定時間接触後の湯垢汚れの除去状態を目視で確認した。
その結果、各実施例で調製した濃縮液体洗剤から得られた希釈液体洗剤について、良好な洗浄性が得られた。
すなわち、得られた濃縮液体洗剤は、浴室用洗剤として適しているといえる。
【００７０】
【表２】
2014108971.tif 000004
【００７１】
（アルカリ洗浄剤用濃縮液体洗剤）
（実施例１１〜１４）
表３に示す配合で、アルカリ剤、溶剤、キレート剤、界面活性剤、水を混合して濃縮液体洗剤を調製した。
そして、得られた濃縮液体洗剤１０００ｇを、透明なプラスチックフィルム製のパウチに入れて保存したところ、パウチ内の液体は、１５℃で二相に分離した外観を示していた。
【００７２】
（希釈及び洗浄）
パウチ内の濃縮液体洗剤（１０００ｇ）を希釈用容器に全て入れ、水４０００ｇを投入して攪拌し、希釈液体洗剤を得た。希釈倍率は、５倍であった。
希釈液体洗剤の状態を目視にて観察したところ、希釈液体洗剤は二相に分離しておらず、均一に分散した一相の液体となった。
以下の手順により洗浄力試験を実施した。結果を表３に示した。
大豆白絞油を１９７ｍｍ×１３８ｍｍ大のステンレス製プレート面上に約０．５ｇ塗布し、これを約２００℃の温度下で２時間加熱して重合、変質させて油汚れを生じさせた。次いで、この油汚れ面上に実験用ウエス（２０ｍｍ×２０ｍｍ大）を載せ、これに希釈液体洗剤を約０．５ｇ滴下させ、約５分放置し、その後実験用ウエスを取り除いた。この場合の洗浄効果を目視により次の基準で判定した。
汚れ落ちが速くかつその程度もよいときを◎、汚れ落ちの程度がよいときを○、汚れ落ちにむらがあるときを△、汚れがほとんど落ちないときを×とした。
この結果から、得られた濃縮液体洗剤は、厨房で使用される油汚れ用洗剤として適しているといえる。
【００７３】
【表３】
2014108971.tif 000005
【符号の説明】
【００７４】
１００  濃縮液体洗剤
１０１  第一の相
１０２  第二の相
１１０  パウチ
１１１  ノッチ
１１２  注ぎ口部
１２０  希釈用容器
１２１  投入口
【図１】
2014108971.tif 000006
【図２】
2014108971.tif 000007
【図３】
2014108971.tif 000008